(57)【要約】  ヘアドライヤＨは、毛髪特性を感知するためのヘアドライヤＨに装着されたセンサＳと、ヘアドライヤＨから毛髪へと空気を通過させるための第１のチャネルＣ１と、第２のチャネルＣ２であって該第２のチャネルＣ２を通して該毛髪特性をセンサＳが感知することを可能とするための、第１のチャネルＣ１とは別個の第２のチャネルと、を備えた着脱可能なアタッチメントＡと、を有する。第２のチャネルＣ２は、着脱可能なアタッチメントＡの内側管であっても良い。第２のチャネルＣ２は円錐形状を持っても良い。
2021524351.tif 000002
【特許請求の範囲】
【請求項１】
ヘアドライヤであって、
毛髪特性を感知するための前記ヘアドライヤに装着されたセンサと、
前記ヘアドライヤから毛髪へと空気を通過させるための第１のチャネルと、第２のチャネルであって前記第２のチャネルを通して前記毛髪特性を前記センサが感知することを可能とするための、前記第１のチャネルとは別個の第２のチャネルと、を備えた着脱可能なアタッチメントと、
を有する、ヘアドライヤ。
【請求項２】
前記第２のチャネルは、前記着脱可能なアタッチメントの内側管である、請求項１に記載のヘアドライヤ。
【請求項３】
前記第２のチャネルは円錐形状を持つ、請求項１又は２に記載のヘアドライヤ。
【発明の詳細な説明】
【技術分野】
【０００１】
本発明は、センサ及び着脱可能なヘアドライヤアタッチメントを備えたヘアドライヤに関する。
【背景技術】
【０００２】
米国特許ＵＳ４４２４４３７は、乾燥されている毛髪から発せられる赤外線を遠隔で感知し、赤外線が毛髪の温度が約５０℃であることを示すときにドライヤ内の加熱手段をオフにさせる制御手段を含む、放射計を持つ電気式ヘアドライヤを開示している。一実施例においては、放射検出器システムハウジングが、空気出口端部付近のドライヤハウジングの外面に、その一部として成形されるか、又は適切なねじによって取り付けられる。
【０００３】
中国実用新案ＣＮ２０６５８６５５６Ｕは、距離に従って温度を自動的に調節するヘアドライヤを開示している。外側ケーシングの前端には、空気吹出口及び空気フードが設けられている。温度調節システムは、人とヘアドライヤとの間の距離を検出するために、外側ケーシングの上端に赤外線プローブを備える。
【０００４】
特開平５−１９９９１５は、ノズルの回転範囲を制御するための制御手段を提供することによって、吹き出し口に取り付けられたノズルが毛髪温度の非接触測定を妨害することを防止するための構成を持つ、ヘアドライヤを開示している。
【発明の概要】
【発明が解決しようとする課題】
【０００５】
本発明の目的は、とりわけ、改良されたヘアドライヤアタッチメントを提供することにある。本発明は、独立請求項によって定義される。有利な実施例は、従属請求項に定義される。
【課題を解決するための手段】
【０００６】
本発明の態様は、ヘアドライヤに取り付けられて毛髪特性を感知するセンサと、ヘアドライヤから毛髪に空気を通すための第１のチャネルと、センサが第２のチャネルを介して毛髪特性を感知することを可能にするための第２のチャネルであって、第２のチャネルが第１のチャネルとは別個である第２のチャネルと、を備える着脱可能なアタッチメントと、を備えるヘアドライヤを提供する。第２のチャネルは、着脱可能なアタッチメントの内側管であっても良い。第２のチャネルは、円錐形状を持っても良い。
【０００７】
本発明は、以下の認識に基づいている。ヘアドライヤは、毛髪の乾燥及びスタイリングに使用される。スタイリングには、アタッチメントが使用される。典型的なスタイリングアタッチメントは、ノズル、マッサージ器及びディフューザである。ディフューザは、ボリュームのある又は乾燥したカール状の毛髪を作り出すために使用される。斯かるディフューザの幅は通常、８０乃至１６０ｍｍの範囲である。温度を感知する以前の提案では、センサは、ヘアドライヤ本体の空気出口の中央に取り付けられており、したがって、アタッチメントの空気入口は、ヘアドライヤ本体と毛髪との間にアタッチメントが存在する場合であっても、毛髪温度の感知を可能にするための穴を提供することができる。しかし、米国特許ＵＳ４４２４４３７におけるように、センサがヘアドライヤの先端に取り付けられている場合、センサ経路はアタッチメントによって遮断される。本発明は、好適には検知性能を損なうことなく、この問題を克服することを目的とする。
【０００８】
本発明の実施例は、非接触センサ（例えばカメラ、ＩＲセンサ又はその他の種類の温度センサなど）が、空気経路（スタイリング性能）を妨げることなく、アタッチメントを通る経路で毛髪を感知することを可能にする。該経路は、アタッチメント内の内側管であってよく、該アタッチメント内で空気の流れが「回り込む」ことを可能にし、ディフューザから出る均等な空気の流れと、アタッチメントを通る明確な感知経路とを可能にする。これにより、乾燥／スタイリングのための均一な空気分配と、作業領域以外ではなく作業領域における毛髪特性（例えば温度）を感知するセンサと、の両方が可能になる。
【０００９】
本発明のこれら及び他の態様は、以下に記載される実施例から明らかになり、それを参照して説明される。
【図面の簡単な説明】
【００１０】
【図１】本発明の実施例によるアタッチメントの側面図を示す。
【図２】本発明の実施例によるアタッチメントの前面図を示す。
【図３】本発明の実施例によるアタッチメントの背面図を示す。
【図４】本発明の実施例によるアタッチメントを備えたヘアドライヤの背面図を示す。
【発明を実施するための形態】
【００１１】
図１乃至４に示す例では、アタッチメントＡはヘアドライヤＨに着脱可能に装着されることができるディフューザである。アタッチメントＡは、ヘアドライヤＨとの接続が可能なコネクタＣ、及び様々なディフューザピンＤを持つ。通常通り、アタッチメントＡは、ヘアドライヤＨと、アタッチメントＡの前側における複数の空気出口開口Ｏと、の間に、第１のチャンネルＣ１を持ち、ディフューザピンＤも空気出口開口を持つ。
【００１２】
本発明によれば、アタッチメントＡは、ヘアドライヤＨに取り付けられたセンサＳが毛髪を「見る」ことを可能にする第２のチャネルＣ２を更に有し、これによりセンサＳは、ヘアドライヤと毛髪との間のアタッチメントによって妨げられることなく、毛髪特性を測定することができる。様々な実施例において、第２のチャネルＣ２は、アタッチメントＡの背面側であって、第２のチャネルＣ２がヘアドライヤＨ上のセンサＳに対向する側と、アタッチメントＡの前面側と、の間の一種の内側管である。有利にも、アタッチメントＡの前面側の第２のチャネルＣ２の開口が、アタッチメントＡの背面側の第２のチャネルＣ２の開口よりも広くなるように、一種の円錐形状を有し、これによりヘアドライヤＨ上のセンサＳの「視野」に追従する。
【００１３】
上述の実施例は本発明を限定するものではなく説明するものであって、当業者は添付する請求項の範囲から逸脱することなく多くの代替実施例を設計することが可能であろうことは留意されるべきである。請求項において、「ヘアドライヤ」という概念は、「エアスタイラ」、「ヘアスタイラ」等として市販されている製品も包含し、ヘアドライヤによって供給される空気は、必ずしも高温である必要はない。実施例に示されるように、第１のチャネルＣ１は、任意の形状を持ち得る空気のためのいずれの経路であっても良い。請求項において、括弧に挟まれたいずれの参照記号も、請求の範囲を限定することを意図したものではない。「有する（comprising）」なる語は、請求項に記載されたもの以外の要素又は態様の存在を除外するものではない。要素に先行する冠詞「１つの（a又はan）」なる語は、複数の斯かる要素の存在を除外するものではない。従って、複数の第１のチャネルＣ１が存在しても良い。本発明は、幾つかの別個の要素を有するハードウェアによって実装されても良い。幾つかの手段を列記した装置請求項において、これら手段の幾つかは同一のハードウェアのアイテムによって実施化されても良い。相互に異なる従属請求項に列挙されている手段は、有利に組み合わせて利用され得る。
【図１】
2021524351.tif 000003
【図２】
2021524351.tif 000004
【図３】
2021524351.tif 000005
【図４】
2021524351.tif 000006
【国際調査報告】
2021524351.tif 000007
2021524351.tif 000008
2021524351.tif 000009